(57)【要約】【課題】無線通信におけるアンテナ性能を向上させることができるアンテナ装置、カバン、および、カバーの提供に資すること。【解決手段】アンテナ装置は、カバンの端部、または、カバンに取り付けられるカバーの端部に設けられるケーブルを備える。そして、アンテナ装置は、カバン、または、カバンに取り付けられるカバーの端部に設けられ、当該ケーブルと接続し、当該ケーブルと一体となって形成されたアンテナ、を備えた構成を有する。【選択図】図１
2020053807.tif 000002
【特許請求の範囲】
【請求項１】
カバンの端部または前記カバンに取り付けられるカバーの端部に設けられるケーブルと、
前記端部に設けられ、前記ケーブルと接続し、前記ケーブルと一体となって形成されたアンテナと、
を備えるアンテナ装置。
【請求項２】
前記ケーブルは、同軸ケーブルであり、
前記アンテナは、前記同軸ケーブルと一体となって形成された、同軸ケーブル一体型アンテナである、
請求項１に記載のアンテナ装置。
【請求項３】
前記カバンは、ランドセルであり、
前記カバーは、前記ランドセルの蓋部に取り付けられる、
請求項１に記載のアンテナ装置。
【請求項４】
前記カバーは、前記蓋部よりも大きいサイズを有する、
請求項３に記載のアンテナ装置。
【請求項５】
前記ケーブルおよび前記アンテナの少なくとも１つは、前記端部から突出しないように設けられる、
請求項１に記載のアンテナ装置。
【請求項６】
前記アンテナは、水平面垂直偏波を送信または受信する方向に延在する、
請求項１に記載のアンテナ装置。
【請求項７】
前記アンテナは、前記端部に沿った方向に延びる第１のアンテナ部と、前記端部と異なる方向に延びる第２のアンテナ部とを含む、
請求項１に記載のアンテナ装置。
【請求項８】
前記第２のアンテナ部は、前記端部に直交する方向に延びる、
請求項７に記載のアンテナ装置。
【請求項９】
前記ケーブルは、前記第１のアンテナ部と前記第２のアンテナ部との接点と、前記アンテナにおいて送信または受信する信号を処理する無線部とを接続する、
請求項８に記載のアンテナ装置。
【請求項１０】
前記第１のアンテナ部および前記第２のアンテナ部は、前記アンテナが放射する電波の実効波長の４分の１の長さを有する、
請求項７から９のいずれか１項に記載のアンテナ装置。
【請求項１１】
２つの前記アンテナは、前記カバンの右端部および左端部、または、前記カバーの右端部および左端部に、それぞれ設けられる、
請求項１に記載のアンテナ装置。
【請求項１２】
カバンであって、
前記カバンの端部に設けられるケーブルと、
前記端部に設けられ、前記ケーブルと接続し、前記ケーブルと一体となって形成されたアンテナと、
を備えるカバン。
【請求項１３】
カバンに取り付けられるカバーであって、
前記カバーの端部に設けられるケーブルと、
前記端部に設けられ、前記ケーブルと接続し、前記ケーブルと一体となって形成されたアンテナと、
を備えるカバー。
【発明の詳細な説明】
【技術分野】
【０００１】
本開示は、アンテナ装置、カバン、および、カバーに関する。
【背景技術】
【０００２】
従来、屋外で携行されるカバンに無線通信装置を設け、屋外において他の無線通信装置と通信を行う技術が知られている。
【０００３】
例えば、特許文献１には、小学生などの子供が携行するランドセルの肩紐にカバン用無線式通信端末を設け、カバン用無線式通信端末が屋外において基地局と無線通信を行う技術が記載されている。
【先行技術文献】
【特許文献】
【０００４】
【特許文献１】特開２００４−３５０７７５号公報
【発明の概要】
【発明が解決しようとする課題】
【０００５】
しかしながら、特許文献１に記載の構造では、例えば、無線通信におけるアンテナ性能などの無線通信機能の性能の向上に改善の余地がある。
【０００６】
本開示の一態様は、無線通信におけるアンテナ性能を向上させることができるアンテナ装置、カバン、および、カバーの提供に資する。
【課題を解決するための手段】
【０００７】
本開示の一態様に係るアンテナ装置は、カバンの端部または前記カバンに取り付けられるカバーの端部に設けられるケーブルと、前記端部に設けられ、前記ケーブルと接続し、前記ケーブルと一体となって形成されたアンテナと、を備える。
【０００８】
本開示の一態様に係るカバンは、前記カバンの端部に設けられるケーブルと、前記端部に設けられ、前記ケーブルと接続し、前記ケーブルと一体となって形成されたアンテナと、を備える。
【０００９】
本開示の一態様に係るカバーは、カバンに取り付けられるカバーであって、前記カバーの端部に設けられるケーブルと、前記端部に設けられ、前記ケーブルと接続し、前記ケーブルと一体となって形成されたアンテナと、を備える。
【発明の効果】
【００１０】
本開示の一態様によれば、無線通信におけるアンテナ性能を向上させることができる。
【図面の簡単な説明】
【００１１】
【図１】本開示の一実施の形態に係るアンテナ装置を備えたランドセルの一例を示す斜視図
【図２】本開示の一実施の形態に係るアンテナ装置を備えたランドセルの一例を示す正面図
【図３Ａ】ランドセルの背負いベルトに設けられるアンテナの一例を示す図
【図３Ｂ】図３Ａに示すアンテナの利得の一例を示す図
【図４Ａ】本開示の一実施の形態に係るアンテナ装置の位置の例を示す図
【図４Ｂ】本開示の一実施の形態に係るアンテナ装置の利得の例を示す図
【図５】本開示の一実施の形態の第１の変形例に係るアンテナ装置の一例を示す図
【図６Ａ】アンテナ装置を有するカバンの第１の例を示す図
【図６Ｂ】アンテナ装置を有するカバンの第２の例を示す図
【図７Ａ】アンテナ装置を有するカバンの第３の例を示す図
【図７Ｂ】アンテナ装置を有するカバンの第４の例を示す図
【図８Ａ】アンテナ装置を有するカバンの第５の例を示す図
【図８Ｂ】アンテナ装置を有するカバンの第６の例を示す図
【図８Ｃ】アンテナ装置を有するカバンの第７の例を示す図
【発明を実施するための形態】
【００１２】
以下に添付図面を参照しながら、本開示の好適な実施形態について詳細に説明する。尚、本明細書及び図面において、実質的に同一の機能を有する構成要素については、同一の符号を付することにより重複説明を省略する。
【００１３】
（一実施の形態）
図１は、本実施の形態に係るアンテナ装置１０を備えたランドセル１の一例を示す斜視図である。図２は、本実施の形態に係るアンテナ装置１０を備えたランドセル１の一例を示す正面図である。なお、図１および図２には、ランドセル１の上下方向および左右方向を表す矢印が示される。以下の説明における、上、下、左および右は、図１および図２に示す矢印の方向に対応する。
【００１４】
なお、「ランドセル」は、例えば、「スクールバッグ」などと称されてよい。
【００１５】
ランドセル１は、上側に開口（図示省略）を有する収容部２と、収容部２に連結された背負いベルト３と、収容部２の開口を覆い、収容部２の底部近傍まで延設された蓋部４と、を備える。
【００１６】
収容部２は、例えば、箱状の形状を有する。収容部２は、ランドセル１の使用者が背負いベルト３に腕を通してランドセル１を背負った場合に使用者側（例えば、使用者の背中側）に位置する背面部と、背面部と間隔を開けて対向する前面部と、背面部の側端と前面部の側端との間に介在する側面部と、下側の底を塞ぐ底面部とを有する。
【００１７】
背負いベルト３は、その一端が、背面部の上部近傍に連結され、他端が、底面部の中央近傍に連結される。背負いベルト３は、例えば、可撓性を有する芯材の表面を皮革で覆うことで構成される。背負いベルト３は、身体に沿って比較的自由に変形できるようになっている。
【００１８】
蓋部４は、その一端が背面部の上端に連結される。そして、収容部２の開口及び前面部の外面を覆い、他端が底面部近傍まで延びる。蓋部４の他端には連結ベルト（図示省略）が連結される。連結ベルトに設けられた金具は、底面部に設けられた金具と着脱可能に取り付けられる。連結ベルトに設けられた金具が、底面部に設けられた金具に取り付けられることによって、ランドセル１は閉じられた状態となる。また、連結ベルトに設けられた金具が、底面部に設けられた金具から取り外されることによって、ランドセル１は開けられた状態となる。
【００１９】
蓋部４は、例えば、背負いベルト３と同様に、可撓性を有する芯材の表面を皮革で覆うことで構成される。蓋部４は、収容部２を覆った状態（ランドセル１が閉じられた状態）において、収容部２の外形に沿って弧を描くように変形する。また、蓋部４は、収容部２から離した状態（ランドセル１が開けられた状態）において、例えば、平らな面状に変形する。
【００２０】
カバー５は、蓋部４に着脱可能に取り付けられる。カバー５は、少なくとも蓋部４の外部側の面を被覆するシート状のものであってよい。カバー５は、例えば、ビニル製などの防水性又は撥水性を有する素材で構成される。カバー５は、例えば、蓋部４に対応する形状を有し、蓋部４よりも一回り大きいサイズを有する。カバー５の幅方向（左右方向）は、蓋部４の幅方向の寸法よりも大きい寸法を有してよい。カバー５の長手方向（上下方向）は、蓋部４の長手方向の寸法よりも大きい寸法を有してよい。
【００２１】
なお、図１および図２では、カバー５が透明な素材で構成され、カバー５の内側の蓋部４が透過している例を示すが、カバー５は透明な素材に限られない。
【００２２】
カバー５の幅方向の両端部、および、上下方向のうち少なくとも下端部には、カバー５の強度を保つ補強材の一例としてフレーム６が設けられる。フレーム６は、ランドセル１の外形の縁、または、縁取り部分に相当する。
【００２３】
ランドセル１には、アンテナ装置１０とアンテナ装置１０を介して無線通信を行う無線部１１が設けられる。なお、無線部１１、または、アンテナ装置１０と無線部１１とを含む装置は、「歩行者用端末」と称されてもよい。
【００２４】
アンテナ装置１０は、無線部１１から出力される信号の送信、および／または、外部の無線通信装置から送信される信号の受信を行う。外部の無線通信装置は、「歩行者用端末」の通信相手であり、例えば、高度交通システム（ＩＴＳ：Intelligent Transport System）において用いられる無線通信装置である。例えば、外部の無線通信装置は、車両、路側帯および道路標識などに備えられる。車両に備えられる無線通信装置との通信は、Ｖ２Ｘ通信と称されてよい。
【００２５】
アンテナ装置１０は、アンテナ１０１とケーブル１０２とを備える。
【００２６】
アンテナ１０１は、点Ｐから下方向に延びる第１アンテナ部１０１ａと、点Ｐから左方向に延びる第２アンテナ部１０１ｂとを有する。アンテナ１０１は、例えば、カバー５の略中央部に設けられる。
【００２７】
アンテナ１０１は、例えば、地表面に対して垂直な水平面垂直偏波の信号の送信および／または受信を行う。アンテナ１０１が送信および／または受信する周波数は、例えば、Ｖ２Ｘ通信で用いられる７６０ＭＨｚ帯、または、５．９ＧＨｚ帯であってよい。
【００２８】
第１アンテナ部１０１ａは、例えば、柔軟性のある素材を用いて構成される。第１アンテナ部１０１ａの長さ（エレメント長）は、例えば、λ／４である。ここで、λは、アンテナ１０１が送信および／または受信する周波数に対応する真空中の波長であってもよいし、波長短縮率を考慮した波長（実効波長）であってもよい。波長短縮率は、例えば、アンテナ１０１を覆う素材の被誘電率などによって規定される。
【００２９】
そして、第１アンテナ部１０１ａは、カバー５の右端部のフレーム６に埋め込まれる。第１アンテナ部１０１ａは、フレーム６に埋め込まれることによって、フレーム６の中に内在し、視認されづらい状態となる。
【００３０】
第２アンテナ部１０１ｂは、例えば、金属板のような、薄く導電性を有する板状の素材で構成される。第２アンテナ部１０１ｂの長さ（エレメント長）は、例えば、λ／４である。ここで、λは、アンテナ１０１が送信および／または受信する周波数に対応する真空中の波長であってもよいし、波長短縮率を考慮した波長（実効波長）であってもよい。なお、第２アンテナ部１０１ｂは板状の素材に限られない。例えば、第２アンテナ部１０１ｂは、銅線などの線形状の素材であってもよい。
【００３１】
第２アンテナ部１０１ｂは、カバー５の内部に埋め込まれる。第２アンテナ部１０１ｂは、カバー５の内部に埋め込まれることによって、カバー５の中に内在する。なお、第２アンテナ部１０１ｂは、薄い導電性の素材で構成されるため、カバー５から突出しない。
【００３２】
なお、図１および図２では、カバー５が透明な素材で構成される例を示すため、第２アンテナ部１０１ｂが透過して視認される状態となっているが、カバー５が透明な素材ではない場合、第２アンテナ部１０１ｂは、透過することなく、視認されづらい状態となる。
【００３３】
ケーブル１０２は、例えば、柔軟性のあるケーブルであり、点Ｐと無線部１１とを接続する。ケーブル１０２の少なくとも一部は、カバー５の右端部のフレーム６に埋め込まれる。
【００３４】
例えば、ケーブル１０２は、同軸ケーブルであってよい。同軸ケーブルは、内部導体と内部導体を取り囲む絶縁体と、絶縁体を取り囲む外部導体とを有する。内部導体は、芯線と称されてよい。外部導体は、グランド（ＧＮＤ）シールド部と称されてよい。
【００３５】
例えば、ケーブル１０２が同軸ケーブルの場合、第１アンテナ部１０１ａは同軸ケーブルの内部導体に接続され、第２アンテナ部１０１ｂは、同軸ケーブルの外部導体に接続される。
【００３６】
なお、ケーブル１０２と第１アンテナ部１０１ａとは、一体となって構成され、右端部のフレーム６に埋め込まれてよい。
【００３７】
例えば、ケーブル１０２が同軸ケーブルの場合、第１アンテナ部１０１ａは、同軸ケーブルの絶縁体および外部導体を外すことによって現れる、同軸ケーブルの内部導体の部分であってもよい。この場合、第１アンテナ部１０１ａは、同軸ケーブルと一体となった構成を有する。このようなアンテナ１０１の構成は、「同軸ケーブル一体型アンテナ」と称されてよい。
【００３８】
なお、図１および図２では、アンテナ１０１が、第１アンテナ部１０１ａと第２アンテナ部１０１ｂとを含み、Ｌ字型の形状を有する例を示すが、本開示はこれに限定されない。例えば、アンテナ１０１にスリーブアンテナが用いられる場合、アンテナ１０１は、点Ｐから下方向に延びる棒形状（線形状）を有してもよい。あるいは、アンテナ１０１にループ型アンテナが用いられてもよい。
【００３９】
例えば、ケーブル１０２が同軸ケーブルであり、アンテナ１０１がスリーブアンテナである場合のアンテナ１０１の構成例を説明する。この場合、アンテナ１０１は、ケーブル１０２との接続点（例えば、図１および図２における点Ｐ）から下方向に延びる第１エレメントと、第１エレメントの下端から下方向に延びる第２エレメントとを有する。
【００４０】
第１エレメントは、同軸ケーブルの外部導体と接続する。第２エレメントは、同軸ケーブルの内部導体と接続する。例えば、第１エレメントおよび第２エレメントの長さは、それぞれ、λ／４である。ここで、λは、アンテナ１０１が送信および／または受信する周波数に対応する真空中の波長であってもよいし、波長短縮率を考慮した波長（実効波長）であってもよい。
【００４１】
フレーム６に埋め込まれるケーブル１０２とアンテナ１０１とは、柔軟性を有する素材で構成されるため、蓋部４の変形に併せて柔軟に変形する。柔軟に変形するとは、例えば、蓋部４が湾曲した場合に、湾曲した弧に沿って湾曲することを含む。
【００４２】
また、フレーム６に埋め込まれるケーブル１０２と第１アンテナ部１０１ａとは、フレーム６を補強し、フレーム６の強度を向上させる。
【００４３】
また、ケーブル１０２と第１アンテナ部１０１ａとがフレーム６に埋め込まれ、第２アンテナ部１０１ｂが板状の素材で構成されカバー５の内部に埋め込まれる。そのため、アンテナ装置１０がカバー５から突出する状態、および、アンテナ装置１０が剥き出しとなる状態が避けられる。例えば、ランドセル１の使用者がアンテナ装置１０に触れることによって怪我を負う可能性を低減でき、安全性を確保できる。
【００４４】
無線部１１は、ケーブル１０２と接続し、アンテナ装置１０を介して送信する信号の送信処理、および／または、アンテナ装置１０を介して受信する信号の受信処理を行う。無線部１１が送信処理を行う信号は、ビーコン信号のような定期的に送信する信号であってよい。また、無線部１１が受信処理を行う信号は、外部の無線通信装置から定期的に受信するビーコン信号であってよい。無線部１１が送信処理および／または受信処理を行う信号は、限定されない。
【００４５】
例えば、無線部１１がアンテナ装置１０を介してビーコン信号を送信することによって、車両に設けられる無線通信装置が、ビーコン信号を受信し、ランドセル１の使用者が車両に接近していることを検知してもよい。あるいは、無線部１１が、アンテナ装置１０を介して、車両に設けられる無線通信装置から送信されたビーコン信号を受信することによって、無線部１１が、車両が接近していることを検知してもよい。
【００４６】
なお、図１および図２における無線部１１は、収容部２の内部に設けられるが、本開示はこれに限定されない。無線部１１は、カバー５の内部に埋め込まれてもよいし、蓋部４に設けられてもよい。また、図１および図２における無線部１１のサイズは、一例であり、本開示はこれに限定されない。
【００４７】
次に、ランドセル１のカバー５に埋め込まれるアンテナ装置１０の特性について説明する。以下では、アンテナ装置１０の代わりに、ランドセル１の背負いベルト３にアンテナを設ける例を比較例に挙げて説明する。
【００４８】
図３Ａは、ランドセル１の背負いベルト３に設けられるアンテナの一例を示す図である。図３Ｂは、図３Ａに示すアンテナの利得の一例を示す図である。
【００４９】
図３Ａには、ランドセル１を背負った使用者を上方から見た図が示される。そして、図３Ａには、比較例として、ランドセル１の背負いベルト３の点Ｐ１にアンテナが設けられる例が示される。
【００５０】
図３Ｂには、図３Ａに示した点Ｐ１にアンテナが設けられる場合の水平面における角度毎のアンテナの利得が示される。なお、図３Ｂの中心は、使用者の位置に対応し、図３Ｂの角度は、図３Ａに示したθに対応する。
【００５１】
図３Ｂに示すように、点Ｐ１にアンテナが設けられる場合、前面側（例えば、０°〜９０°および２７０°〜３６０°の角度範囲）ではアンテナの利得が比較的得られる。一方で、点Ｐ１が使用者に近接していることによって、背面側（例えば、９０°〜２７０°の角度範囲）では、アンテナの利得が低減する。
【００５２】
図４Ａは、本実施の形態に係るアンテナ装置１０の位置の例を示す図である。図４Ｂは、本実施の形態に係るアンテナ装置１０の利得の例を示す図である。
【００５３】
図４Ａには、図３Ａと同様に、ランドセル１を背負った使用者を上方から見た図が示される。そして、図４Ａには、アンテナ装置１０のアンテナ１０１の位置を示す点Ｐ２が示される。
【００５４】
図４Ｂには、図４Ａに示した点Ｐ２にアンテナ１０１が設けられる場合の水平面における角度毎のアンテナの利得が示される。なお、図４Ｂの中心は、使用者の位置に対応し、図４Ｂの角度は、図４Ａに示したθに対応する。
【００５５】
図４Ｂに示すように、点Ｐ２にアンテナ１０１が設けられる場合、アンテナ１０１は、図３Ｂの背面側のアンテナの利得と比較して、背面側に大きな利得が得られる。また、点Ｐ２が使用者から離れた位置であるため、アンテナ１０１は、図３Ｂの背面側と比較して、前面側における利得が得られる。
【００５６】
以上説明したように、本実施の形態に係るアンテナ装置１０は、ランドセル１に取り付けられるカバー５の端部に設けられるケーブル１０２と、カバー５の端部に設けられ、ケーブル１０２と一体となって形成されるアンテナとを備える。
【００５７】
この構成により、十分なアンテナの利得が得られるため、アンテナ装置１０のアンテナ性能を向上させることができ、アンテナ装置１０を含む無線通信装置の性能を向上させることができる。例えば、使用者の視野範囲外になる使用者の背面側において、十分な利得が得られる。
【００５８】
また、この構成により、アンテナ１０１が使用者に近接することを回避できるため、アンテナの利得の低減を防ぎ、使用者の人体に与える影響を防ぐことができる。
【００５９】
また、本実施の形態では、柔軟性を有する第１アンテナ部１０１ａおよびケーブル１０２がカバー５のフレーム６に埋め込まれる。この構成により、蓋部５のデザイン性と柔軟性を維持し、フレーム６の強度を向上させることができる。また、アンテナ１０１およびケーブル１０２が突起物とならないため、安全性を確保できる。また、カバー５は、ランドセル１に着脱可能であるため、予めアンテナ装置（またはアンテナ装置を含む無線通信装置）を有さないランドセルに対して後から取り付けることにより、アンテナの機能（またはアンテナ機能を含む無線通信機能）を付与することができる。
【００６０】
また、カバー５は、ランドセル１の蓋部４よりも一回り大きいサイズを有するため、アンテナ１０１が使用者に近接することを回避でき、アンテナの利得の低減を防ぎ、使用者の人体に与える影響を防ぐことができる。
【００６１】
また、本実施の形態では、アンテナ１０１が、水平面垂直偏波を送信および／または受信できるため、ＩＴＳで多く運用される水平面垂直偏波を主偏波とする無線通信システムに対応できる。
【００６２】
例えば、Ｖ２Ｐ（Vehicle to Pedestrian）通信における無線通信端末が有するアンテナの性能は、人体影響下において、水平面垂直偏波の３６０度の方向で十分な通信距離を確保する必要がある。例えば、スマートフォンのような無線通信端末の内蔵アンテナでは、人体影響および／または端末の向きなどにより、十分な通信距離を確保することが困難であり、例えば、通信を確立しながら、使用者と車両とのの接近などの通知を行うことが困難である。
【００６３】
本実施の形態によれば、外部アンテナの一例として、使用者が携行するランドセル１にアンテナ装置１０を含む無線通信装置が設けることができるため、３６０度の方向で十分な通信距離を確保でき、使用者と車両との接近などの通知を行うことができる。
【００６４】
なお、本実施の形態では、水平面垂直偏波を送信または受信するアンテナ１０１の例を示したが、アンテナ１０１の偏波方向はこれに限定されない。また、アンテナ１０１が送受信する周波数は、７６０ＭＨｚ帯、または、５．９ＧＨｚ帯に限られず、アンテナ装置１０を適用するシステムに応じて設定されてよい。
【００６５】
なお、本実施の形態では、アンテナ装置１０が、１つのアンテナ１０１を有する例を説明したが、本開示はこれに限定されない。次に、アンテナ装置が、２つのアンテナを有する例を説明する。
【００６６】
図５は、本実施の形態の第１の変形例に係るアンテナ装置２０の一例を示す図である。図５において、図１および図２と同様の構成については同一の符番を付し、説明を省略する。
【００６７】
アンテナ装置２０は、２つのアンテナ１０１と、２つのアンテナ１０１それぞれと１つの無線部１１とを接続する２つのケーブル１０２とを備える。
【００６８】
２つのアンテナ１０１は、それぞれ、カバー５の右端部と左端部とに設けられる。
【００６９】
２つのアンテナ１０１は、それぞれ、水平面垂直偏波の信号の送信および／または受信を行ってよい。例えば、２つのアンテナ１０１の双方が、信号の送信および受信を行ってもよい。あるいは、２つのアンテナ１０１のうち、一方のアンテナ１０１が、信号の送信を行い、他方のアンテナ１０１が信号の受信を行ってもよい。あるいは、２つのアンテナ１０１のうち、一方のアンテナ１０１が、信号の送信と受信とを行い、他方のアンテナ１０１が信号の受信を行ってもよい。この場合、信号の送信と受信を行うアンテナ１０１は、「メインアンテナ」と称され、信号の受信を行うアンテナ１０１は、「サブアンテナ」と称されてよい。
【００７０】
２つのアンテナ１０１の双方が、信号の受信を行うことにより、受信ダイバーシチ利得を得ることができる。また、２つのアンテナ１０１の双方が、信号の送信を行う事により、送信ダイバーシチ利得を得ることができる。
【００７１】
なお、上述では、２つのアンテナ１０１が、カバー５の右端部と左端部とに設けられる例を示したが、２つのアンテナ１０１のうち、一方がカバー５の右端部または左端部に設けられ、他方が、背負いベルト３に設けられてもよい。この場合、カバー５に設けられるアンテナ１０１が、ランドセル１の使用者の背面の方向の通信エリアをカバーし、背負いベルト３に設けられるアンテナ１０１が、使用者の前面の方向の通信エリアをカバーするため、全方位における通信エリアをカバーできる。
【００７２】
なお、上述した本実施の形態および第１の変形例では、ランドセル１に取り付けられるカバー５に、アンテナ１０１およびケーブル１０２が埋め込まれる例を説明したが、本開示はこれに限定されない。例えば、ランドセル１の蓋部４の右端部および／または左端部に、アンテナ１０１とケーブル１０２とが埋め込まれてもよい。
【００７３】
ランドセル１の蓋部４の右端部および／または左端部に、アンテナ１０１とケーブル１０２とが埋め込まれることにより、予めランドセル１に、アンテナの機能（またはアンテナ機能を含む無線通信機能）を付与することができる。
【００７４】
また、上述した本実施の形態および第１の変形例では、ランドセル１にアンテナ装置１０が設けられる例を説明したが、本開示はこれに限定されない。例えば、ランドセルと異なるカバンにアンテナ装置１０を含む無線通信装置が設けられてもよい。以下、カバンの一例と、当該カバンにアンテナ装置１０を設ける場合のアンテナ１０１の位置の一例について図面を参照して説明する。
【００７５】
図６Ａは、アンテナ装置１０を有するカバンの第１の例を示す図である。図６Ｂは、アンテナ装置１０を有するカバンの第２の例を示す図である。
【００７６】
図６Ａには、比較的厚みのあるリュックに設けられるアンテナ１０１の位置の例が示される。図６Ｂには、比較的厚みがないリュックに、アンテナ装置１０のアンテナ１０１が設けられる例が示される。なお、図６Ａおよび図６Ｂには、ケーブル１０２および無線部１１が省略される。
【００７７】
図６Ａおよび図６Ｂに示すように、使用者がベルトを両肩にかけて背負うリュックの場合、左右方向の少なくとも一方の端部（図６Ａおよび図６Ｂでは右端部）にアンテナ１０１が設けられてよい。この構成により、十分なアンテナの利得が得られるため、アンテナ装置１０を有する無線通信装置の性能を向上させることができる。例えば、使用者の視野範囲外になる使用者の背面側において、十分な利得が得られる。
【００７８】
また、図６Ａおよび図６Ｂでは、アンテナ１０１が上下方向に延びる構成を有するため、水平面に対する垂直偏波を送信および／または受信でき、ＩＴＳで多く運用される水平面垂直偏波を主偏波とする無線通信システムに対応できる。
【００７９】
なお、図６Ａおよび図６Ｂでは、アンテナ１０１を含むアンテナ装置１０がリュック本体に設けられる例を示したが、例えば、アンテナ１０１を含むアンテナ装置１０がリュックを保護するカバーに設けられてもよい。
【００８０】
図７Ａは、アンテナ装置１０を有するカバンの第３の例を示す図である。図７Ｂは、アンテナ装置１０を有するカバンの第４の例を示す図である。
【００８１】
図７Ａには、使用者がベルトを片方の肩にかけて装着するカバンに設けられるアンテナ１０１の位置の例が示される。図７Ｂには、カバン（図示省略）のベルト部分に後付けされる、別の小型なカバンに設けられるアンテナ１０１の位置の例が示される。
【００８２】
図７Ａおよび図７Ｂに示すカバンの例では、カバンの端部にアンテナ１０１が設けられてよい。この構成により、十分なアンテナの利得が得られるため、アンテナ装置１０を有する無線通信装置の性能を向上させることができる。
【００８３】
また、図７Ａおよび図７Ｂでは、アンテナ１０１が上下方向に延びる構成を有するため、水平面に対する垂直偏波を送信および／または受信でき、ＩＴＳで多く運用される水平面垂直偏波を主偏波とする無線通信システムに対応できる。
【００８４】
図８Ａは、アンテナ装置１０を有するカバンの第５の例を示す図である。図８Ｂは、アンテナ装置１０を有するカバンの第６の例を示す図である。図８Ｃは、アンテナ装置１０を有するカバンの第７の例を示す図である。
【００８５】
図８Ａには、使用者がベルトを腰に巻くことによって携行するポーチ型のカバンに設けられるアンテナ１０１の位置の例が示される。図８Ｂには、使用者がベルトを腕に巻くことによって携行する小型カバンに設けられるアンテナ１０１の位置の例が示される。図８Ｃには、例えば、自転車等のサドルに取り付けられる小型のカバンに設けられるアンテナ１０１の位置の例が示される。
【００８６】
図８Ａ、図８Ｂおよび図８Ｃに示すカバンの例では、カバンの端部にアンテナ１０１が設けられてよい。この構成により、十分なアンテナの利得が得られるため、アンテナ装置１０を有する無線通信装置の性能を向上させることができる。
【００８７】
なお、図６Ａ、図６Ｂ、図７Ａ、図７Ｂ、および、図８Ａ〜図８Ｃに示したカバンは、例えば、ナイロン等の柔軟性を有する素材を用いて構成されるため、変形する可能性がある。本実施の形態に係るアンテナ装置１０は、柔軟性を有するアンテナ１０１およびケーブル１０２を用いているため、変形するカバンに設けた場合であっても、アンテナ装置１０が突出することを回避でき、アンテナ性能を維持できる。
【００８８】
また、上記実施の形態の無線部における「・・・部」という表記は、「・・・回路（circuitry）」、「・・・デバイス」、「・・・ユニット」、又は、「・・・モジュール」といった他の表記に置換されてもよい。
【００８９】
また、上記実施の形態の説明に用いた各機能ブロックの一例である無線部は、典型的には集積回路であるＬＳＩとして実現される。集積回路は、上記実施の形態の説明に用いた各機能ブロックを制御し、入力と出力を備えてもよい。これらは個別に１チップ化されてもよいし、各機能ブロックの一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００９０】
また、集積回路化の手法にはＬＳＩに限らず、専用回路または汎用プロセッサを用いて実現してもよい。ＬＳＩ製造後に、プログラムすることが可能なＦＰＧＡ（Ｆｉｅｌｄ Ｐｒｏｇｒａｍｍａｂｌｅ Ｇａｔｅ Ａｒｒａｙ）、又は、ＬＳＩ内部の回路セルの接続、設定が再構成可能なリコンフィグラブル・プロセッサーを利用してもよい。
【００９１】
更には、半導体技術の進歩または派生する別技術によりＬＳＩに置き換わる集積回路化の技術が登場すれば、当然、別技術を用いて機能ブロックの集積化を行ってもよい。バイオ技術の適用等が可能性としてあり得る。
【００９２】
以上、図面を参照しながら各種の実施の形態について説明したが、本開示はかかる例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。また、開示の趣旨を逸脱しない範囲において、上記実施の形態における各構成要素を任意に組み合わせてもよい。
【００９３】
以上、本開示の具体例を詳細に説明したが、これらは例示にすぎず、請求の範囲を限定するものではない。請求の範囲に記載の技術には、以上に例示した具体例を様々に変形、変更したものが含まれる。
【００９４】
本開示におけるアンテナ装置は、カバンの端部または前記カバンに取り付けられるカバーの端部に設けられるケーブルと、前記端部に設けられ、前記ケーブルと接続し、前記ケーブルと一体となって形成されたアンテナと、を備える。
【００９５】
本開示のアンテナ装置において、前記ケーブルは、同軸ケーブルであり、前記アンテナは、前記同軸ケーブルと一体となって形成された、同軸ケーブル一体型アンテナである。
【００９６】
本開示のアンテナ装置において、前記カバンは、ランドセルであり、前記カバーは、前記ランドセルの蓋部に取り付けられる。
【００９７】
本開示のアンテナ装置において、前記カバーは、前記蓋部よりも大きいサイズを有する。
【００９８】
本開示のアンテナ装置において、前記ケーブルおよび前記アンテナの少なくとも１つは、前記端部から突出しないように設けられる。
【００９９】
本開示のアンテナ装置において、前記アンテナは、水平面垂直偏波を送信または受信する方向に延在する。
【０１００】
本開示のアンテナ装置において、前記アンテナは、前記端部に沿った方向に延びる第１のアンテナ部と、前記端部と異なる方向に延びる第２のアンテナ部とを含む。
【０１０１】
本開示のアンテナ装置において、前記第２のアンテナ部は、前記端部に直交する方向に延びる。
【０１０２】
本開示のアンテナ装置において、前記ケーブルは、前記第１のアンテナ部と前記第２のアンテナ部との接点と、前記アンテナにおいて送信または受信する信号を処理する無線部とを接続する。
【０１０３】
本開示のアンテナ装置において、前記第１のアンテナ部および前記第２のアンテナ部は、前記アンテナが放射する電波の実効波長の４分の１の長さを有する。
【０１０４】
本開示のアンテナ装置において、２つの前記アンテナは、前記カバンの右端部および左端部、または、前記カバーの右端部および左端部に、それぞれ設けられる。
【０１０５】
本開示におけるカバンは、前記カバンの端部に設けられるケーブルと、前記端部に設けられ、前記ケーブルと接続し、前記ケーブルと一体となって形成されたアンテナと、を備える。
【０１０６】
本開示におけるカバーは、カバンに取り付けられるカバーであって、前記カバーの端部に設けられるケーブルと、前記端部に設けられ、前記ケーブルと接続し、前記ケーブルと一体となって形成されたアンテナと、を備える。
【産業上の利用可能性】
【０１０７】
本開示に係るアンテナ装置は、カバン等の携行品に設けるのに好適である。
【符号の説明】
【０１０８】
１  ランドセル
２  収容部
３  背負いベルト
４  蓋部
５  カバー
６  フレーム
１０、２０  アンテナ装置
１１  無線部
１０１  アンテナ
１０１ａ  第１アンテナ部
１０１ｂ  第２アンテナ部
１０２  ケーブル
【図１】
2020053807.tif 000003
【図２】
2020053807.tif 000004
【図３Ａ】
2020053807.tif 000005
【図３Ｂ】
2020053807.tif 000006
【図４Ａ】
2020053807.tif 000007
【図４Ｂ】
2020053807.tif 000008
【図５】
2020053807.tif 000009
【図６Ａ】
2020053807.tif 000010
【図６Ｂ】
2020053807.tif 000011
【図７Ａ】
2020053807.tif 000012
【図７Ｂ】
2020053807.tif 000013
【図８Ａ】
2020053807.tif 000014
【図８Ｂ】
2020053807.tif 000015
【図８Ｃ】
2020053807.tif 000016